(57)【要約】【課題】飲料を入れたカップ容器を袋に入れてテイクアウトに供する際、カップ容器が一つであってもカップホルダーが傾倒することなく安定してカップ容器を保持することを可能とする構造を備えたカップホルダーを提供する。【解決手段】本発明のカップホルダー１０は、収容して保持するカップ容器の下方領域の挿通を可能とする開口２（２Ｃ，２Ｓ）が設けられた天面部１１と、カップ容器を載置する底面部１３と、天面部と底面部とが離間した状態で向き合うように連結する側面部１２，１４，１６，１７とを少なくとも備え、開口は、適宜離間する複数の円の円弧と、この円の二つに重複する他の円の円弧とによって囲まれた領域内部を適宜切欠くことにより形成されたものとなっている。【選択図】図１
2019038596.tif 000002
【特許請求の範囲】
【請求項１】
飲料を入れたカップ容器を袋に入れてテイクアウトに供する際、当該カップ容器が傾倒しないように保持するためのホルダーであって、
前記カップ容器の下方領域の挿通を可能とする開口が設けられた天面部と、
前記カップ容器を載置する底面部と、
前記天面部と前記底面部とが離間した状態で向き合うように連結する側面部と、
を少なくとも備え、
前記開口は、適宜離間する複数の円の円弧と、前記円の二つに重複する他の円の円弧とによって囲まれた領域内部を適宜切欠くことにより形成されたものであることを特徴とするカップホルダー。
【請求項２】
前記天面部は、前記開口縁部より内部に向かって突出する爪部をさらに備えていることを特徴とする請求項１に記載のカップホルダー。
【請求項３】
前記天面部と前記底面部との間に補強片をさらに備えていることを特徴とする請求項１又は２に記載のカップホルダー。
【請求項４】
前記補強片は、前記側面部の一部により形成されたものであることを特徴とする請求項３に記載のカップホルダー。
【請求項５】
前記飲料の付属品を保持する切込みがさらに設けられていることを特徴とする請求項１乃至４の何れか１項に記載のカップホルダー。
【請求項６】
一枚のシート体から構成されたものであることを特徴とする請求項１乃至５の何れか１項に記載のカップホルダー。
【発明の詳細な説明】
【技術分野】
【０００１】
本願発明は、飲料を入れたカップ容器を袋に入れてテイクアウトに供する際、当該カップ容器が傾倒しないように保持するためのカップホルダーに関する。
【背景技術】
【０００２】
飲料を入れたカップ容器が傾倒しないように保持するために用いるホルダーとして、カップを収容するための切り抜き孔が四つ形成された角筒状をした紙製ホルダーが提案されている（たとえば、特許文献１を参照）。このホルダーでは、切り抜き孔が二つ並設され、かつ、二列配置されたものとなっており、さらに二分割するための切断線が形成されていることから、切断線に沿って切り離すことで、切り抜き孔が二つずつ配された二つのホルダーとしても用いることができるようになっている。
【０００３】
そのため、このようなホルダーを用いて飲料を入れたカップ容器を保持する場合、カップが四つもしくは三つであれば、そのまま用いるものとなるが、カップが二つもしくは一つであれば、ホルダーを切断線に沿って切り離すことで、カップ容器が収容されない未使用となる無駄なスペースを少なくして、効率良く用いることができるようになっている。
【０００４】
しかしながら、上述した特許文献１に記載された構造のホルダーでは、カップが一つの場合、並設された二つの切り抜き孔のうち何れか一方に収容することとなるため、このホルダーを袋に入れて飲料を入れたカップ容器をテイクアウトに供する際、手に提げた袋内でホルダーが傾倒した状態となってしまうものであった。
【０００５】
すなわち、飲料を入れたカップ容器をテイクアウトに供する際、ホルダーを直接手で把持することができれば、ホルダーが傾倒した状態となる心配はないが、荷物が多くホルダーを直接手で把持することができない場合、ホルダーを袋に入れ持ち易くしてテイクアウトすることになる。
その際、図９（Ａ）に示すように、カップ保持開口１０２が二つ設けられたカップホルダー１１０を用いて飲料を入れたカップ容器Ｃを一つだけ保持するには、何れか一方のカップ保持開口１０２にカップ容器Ｃを収容することとなる。
【０００６】
そうするとカップホルダー１１０は、図９（Ｂ）に示すように、安定性が悪く、カップ容器Ｃが収容されたカップ保持開口１０２側が飲料の重みによって下がり、袋内でカップホルダー１１０が傾倒したものとなってしまう。
その結果、カップ容器Ｃに蓋をしても、持ち運びの際の振動やカップホルダー１１０の傾倒によって、カップ容器Ｃ内の飲料が外にこぼれてしまうおそれがある。
【先行技術文献】
【特許文献】
【０００７】
【特許文献１】特開２０１６−４３９７４号公報
【発明の概要】
【発明が解決しようとする課題】
【０００８】
本発明は、上記事情に鑑みて成されたものであり、飲料を入れたカップ容器を袋に入れてテイクアウトに供する際、カップ容器が一つであってもカップホルダーが傾倒することなく安定してカップ容器を保持することを可能とする構造を備えたカップホルダーを提供することを目的とする。
【課題を解決するための手段】
【０００９】
本発明に係るカップホルダーは、飲料を入れたカップ容器を袋に入れてテイクアウトに供する際、当該カップ容器が傾倒しないように保持するためのホルダーであって、前記カップ容器の下方領域の挿通を可能とする開口が設けられた天面部と、前記カップ容器を載置する底面部と、前記天面部と前記底面部とが離間した状態で向き合うように連結する側面部と、を少なくとも備え、前記開口は、適宜離間する複数の円の円弧と、前記円の二つに重複する他の円の円弧とによって囲まれた領域内部を適宜切欠くことにより形成されたものであることを特徴とする。
【００１０】
すなわち、本発明に係るカップホルダーの天面部に設けられた開口は、互いに重複しないように適宜離間する複数の円に相当するそれぞれの円弧と、当該複数の円のうち二つの円に共に重複することとなる他の円に相当する円弧とによって形成され、これら円の一部を構成する円弧を複数組み合わせて切欠いたものとなっている。ここで、適宜離間するとは、複数の円による円弧によって形成される開口にカップ容器を挿入して収容した場合に、互いに隣接して収容されることとなるカップ同士がぶつかることなく互いに干渉しない程度に離れていることをいう。
【００１１】
また、本発明に係るカップホルダーの天面部は、開口縁部より切欠き領域内部に向かって突出する爪部をさらに備えているものとしても良い。この爪部は、開口内部へ伸びた起立状態から倒伏することで、収容されるカップ容器の径方向の大きさに応じて開口の大きさを部分的に調整することに用いられるものである。ゆえに、天面部に爪部を設ける場合、開口は爪部となる一部を残して切欠くことにより形成されたものとなる。
【００１２】
また、本発明に係るカップホルダーは、天面部と底面部との間に補強片をさらに備えているものとしても良い。この補強片は、天面部と底面部とが離間して向き合う立体化した状態を維持することに供するものである。
本発明において補強片は、側面部の一部により形成されたもの、すなわち、側面部に切込みを設けて折り返すことで形成されたものとすることができる。
【００１３】
また、本発明に係るカップホルダーは、飲料の付属品を保持する切込みがさらに設けられているものとすることができる。ここで、飲料の付属品とは、ストロー、マドラー、シュガー、シロップ、ミルクの他、飲料を購入することで提供される玩具やカードなどのいわゆるノベルティーと称されるものをいう。
【００１４】
そして、本発明に係るカップホルダーは、一枚のシート体から構成されたもの、すなわち、一枚のシート体を切欠いたり、折り込んだりすることにより形成してなるものとすることができる。
【発明の効果】
【００１５】
本発明に係るカップホルダーは、適宜離間する複数の円の円弧と、複数の円のうち二つの円に重複する他の円の円弧とによって囲まれた領域内部を適宜切欠くことにより形成された開口を天面部に備えている。ゆえに、飲料を入れたカップ容器Ｃを一つだけ保持する場合、切欠かれた開口のうち、適宜離間する二つの円に重複する他の円の円弧によって囲まれた領域内にカップ容器を収容することで、カップ容器はカップホルダーの中心に保持され、安定性が向上したものとなる。
【００１６】
したがって、飲料を入れたカップ容器を袋に入れてテイクアウトに供する際、保持するカップ容器が一つであっても飲料の重みによってカップホルダーが袋内で傾倒することなく、バランス良く安定して保持することを可能とし、カップ容器内の飲料が外にこぼれてしまうおそれないカップホルダーを提供することができる。
【図面の簡単な説明】
【００１７】
【図１】本発明に係るカップホルダーを示す斜視図である。
【図２】本発明に係るカップホルダーを示す平面図である。
【図３】本発明に係るカップホルダーを示す前側面図である。
【図４】本発明に係るカップホルダーの内部構造を説明する図であって、（Ａ）図３に示すＡ−Ａ線に沿う断面図、（Ｂ）図３に示すＢ−Ｂ線に沿う断面図である。
【図５】本発明に係るカップホルダーを折り上げるシート体を示す平面図である。
【図６】本発明に係るカップホルダーの使用状態を説明する図であって、カップ容器を一つだけ保持する状態を示す、（Ａ）平面図、（Ｂ）前側面図である。
【図７】本発明に係る他のカップホルダーを示す図であって、（Ａ）天面部の構造を説明する平面図、（Ｂ）使用状態を説明する側面図である。
【図８】本発明に係る他のカップホルダーを示す平面図である。
【図９】従来のカップホルダーを示す図であって、（Ａ）カップ保持開口の構造を説明する平面図、（Ｂ）カップ容器を一つだけ保持する状態を示す前側面図である。
【発明を実施するための形態】
【００１８】
以下、本発明に係るカップホルダーの実施の形態の一例について、図面に基づき説明する。
本発明に係るカップホルダーは、飲料を入れたカップ容器を袋に入れてテイクアウトに供する際、当該カップ容器が傾倒しないように保持するためのホルダーであって、保持するカップ容器が一つであっても飲料の重みによってカップホルダーが袋内で傾倒することなく、バランス良く安定して保持することを可能とするものである
【００１９】
なお、以下に述べる実施の形態は、本発明の好適な具体例であるため技術的に種々の限定が付されているが、本発明の範囲は、以下の説明において特に限定する旨の記載がない限り、これらの形態に限られるものではない。
【００２０】
＜第１の実施の形態＞
図１乃至図３に示すように、本実施の形態におけるカップホルダー１０は、カップ容器の下方領域の挿通を可能とするカップ保持開口２（２Ｃ，２Ｓ）が設けられた天面部１１と、カップ容器を載置する底面部１３と、天面部１１と底面部１３とが離間した状態で向き合うように連結する側面部１２，１４，１６，１７とを少なくとも備えるホルダー本体１によって構成されたものとなっている。
【００２１】
図において、カップホルダー１０は、矩形をした同形、同大の天面部１１と底面部１３の周囲に、前側面部１２と後側面部１４と右側面部１６と左側面部１７からなる四つの側面を備えた平たい角筒状箱体をしたホルダー本体１を有するものとして示されている。また、底面部１３には、適宜間隔を有して二つのコーン保持開口５，５が設けられたものとなっている。
【００２２】
本発明のカップホルダー１０において特徴とするカップ保持開口２は、天面部１１において、適宜離間する複数の円の一部を構成する円弧２１，２１と、複数の円の二つの間に重複する他の円の一部を構成する円弧２２とによって囲まれた領域内部を適宜切欠くことにより形成されたものとなっている。
【００２３】
図１及び図２において、カップ保持開口２は、適宜離間する二つの円の一部を構成する円弧２１と、この二つの円の間に重複する他の円の一部を構成する円弧２２によって囲まれた領域、すなわち、互いに重複しないで離間する二つの円の中間に一つの円が重複して配された、三つの円が団子状にひと固まりになった領域が切り欠かれたものとして示されている。また、図において、円弧２１の領域と円弧２２の領域は、共に一点鎖線の両向き矢印で示された範囲となっている。
【００２４】
なお、カップ保持開口は、上述のように二つの円の間に重複するように他の円を配することで構成される三つの円が団子状にひと固まりになったものに限らず、三つの円におけるそれぞれ二つの円の間に重複するように他の円をそれぞれ配することで構成される五つの円が団子状にひと固まりになったものや、三つ以上の円におけるそれぞれ二つの円の間に重複するように他の円をそれぞれ配することで構成される複数の円が団子状にひと固まりになったものとしても良い。
【００２５】
このカップ保持開口２は、飲料を入れたカップ容器を収容して保持するものであり、中央に一つだけ設けられたカップ保持開口２Ｃ領域と、このカップ保持開口２Ｃ領域を両側から挟むようにそれぞれ設けられた二つのカップ保持開口２Ｓ，２Ｓ領域とを有する。すなわち、本実施の形態に係るカップホルダー１０は、最大二つのカップ容器を保持することができるものであり、中央のカップ保持開口２Ｃは、カップ容器を一つだけ保持する際に用いる領域であり、両側のカップ保持開口２Ｓ，２Ｓは、カップ容器を二つ保持する際に用いる領域となる。ゆえに、カップ保持開口２Ｓ，２Ｓは、二つのカップ容器をそれぞれに収容しても、隣接して収容されることとなるカップ容器同士がぶつかることなく互いに干渉しない程度の距離を離間して設けられたものとなっている。
【００２６】
また、天面部１１は、カップ保持開口２縁部より切欠き領域内部に向かって突出するカップ保持爪部３（３Ｃ，３Ｓ）をさらに備えている。このカップ保持爪部３は、基端部分より折り曲げ自在なものとなっており、カップ保持開口２に収容されるカップ容器の径方向の大きさに応じてカップ保持開口の大きさを部分的に調整することができる。すなわち、カップ保持爪部３は、折り曲げられることなくカップ保持開口２内部へ伸びた起立状態のときは、径方向の大きさが小さいカップ容器を保持するものとなり、基端部分より折り曲げられ、起立状態から倒伏してカップ保持開口２を拡張したときは、径方向の大きさが大きいカップ容器を保持することができるものとなる。
【００２７】
図１及び図２において、カップ保持爪部３は、中央のカップ保持開口２Ｃに設けられたカップ保持爪部３Ｃ・・３Ｃと、両側のカップ保持開口２Ｓ，２Ｓに設けられたカップ保持爪部３Ｓ・・３Ｓによって構成され、何れのカップ保持開口２Ｃ，２Ｓ，２Ｓも４つずつ設けられたものとして示されている。また、図中の点線部分は、カップ保持爪部３の折曲げ線を示すものである。
なお、カップ保持爪部３の大きさや形状、数、設ける位置は、特に限定されるものではなく、適宜選択して調整すれば良い。
【００２８】
また、このカップ保持爪部３は、必ずしも必要なものではなく、収容されるカップ容器の大きさの種類に応じて適宜設けるようにすれば良い。ゆえに、一種類の大きさのカップ容器しか用いない場合は、保持するカップ容器の径より若干大きいカップ保持開口２が設けられるように、上述した円弧によって囲まれた領域内部を全面的に切欠くものとすればよく、複数種類の大きさのカップ容器を用いる場合は、カップ保持爪部３となる一部を残して切欠くものとすればよい。
【００２９】
また、本実施の形態に係るカップホルダー１０は、天面部１１と底面部１３との間に複数の補強折込み片４・・４をさらに備えている。補強折込み片４は、ホルダー本体１に対する上方からの圧に抗し、離間した状態で向き合う天面部１１と底面部１３が立体化した状態を維持することに供するものであり、ホルダー本体１が潰れて平面状態となることの無いように用いられる。
【００３０】
この補強折込み片４は、側面部の一部により形成されたもの、すなわち、側面部に切込みを設けて折り返すことで形成されたものとすることができる。このように側面部の一部を用いることにより、簡単、容易に、かつ、効率良く補強折込み片４を形成し、上方からの圧に抗する強度を向上させることができる。
【００３１】
図１、図３及び図４において、補強折込み片４は、前側面部１２及び後側面部１４の一部にコ字状の切込みを設け、この切込みによって囲まれた領域をホルダー本体１の内部に向かって折り返すことで、各側面１２，１４にそれぞれ２つずつ形成されたものとして示されている。
【００３２】
本実施の形態におけるカップホルダー１０は、一枚のシート体を折り込むことにより形成することができる。具体的には、図５に示すように、予めカップ容器を収容するためのカップ保持開口２（２Ｃ，２Ｓ）となる部分が切欠かれた一枚のカップホルダー組み立てシート（以下、「シート体」という。）Ｓを用いることにより構成できる。
【００３３】
なお、図５において点線で示す符号１８部分は、何れも山折りする折り線を示すものである。シート体Ｓにおいて、折り線１８部分は、凹状もしくは凸状のスジ加工が施されているものとすると望ましい。また、図５において実線で示す符号１９部分は、何れも一面側から他面側に貫通する切込みを示すものである。
【００３４】
このシート体Ｓは、カップ保持開口２が設けられる天面部１１となる天面領域部１１Ａの一縁側に、前側面部１２となる前側面領域部１２Ａと、底面部１３となる底面領域部１３Ａとが連設されたものとなっている。また、シート体Ｓは、天面領域部１１Ａにおいて、前側面領域部１２Ａが連設された縁部とは逆側の対向する他縁側に、後側面部１４となる後側面領域部１４Ａと、底面領域部１３Ａと後側面領域部１４Ａとを連結する糊代面部１５とが連設されたものとなっている。
【００３５】
すなわち、天面領域部１１Ａを中心に、一方の縁部側には、前側面領域部１２Ａと底面領域部１３Ａが連設され、他方の縁部側には、後側面領域部１４Ａと糊代面部１５が連設されたものとなっていることから、天面領域部１１Ａと前側面領域部１２Ａと底面領域部１３Ａと後側面領域部１４Ａと糊代面部１５は直線状に配されたものとなっている。
図５において、天面領域部１１Ａは、互いに対向する二対の辺部がそれぞれ平行であり、上下に対向する辺部が長く、左右に対向する辺部が短い横長矩形状（横長長方形）をしたものとして示されている。
【００３６】
また、シート体Ｓは、天面領域部１１Ａにおいて、前側面領域部１２Ａ及び後側面領域部１４Ａと共に隣接する側縁部の一方に、右側面部１６の一部となる右側面上半領域部１６Ａが連設され、同側縁部の他方に、左側面部１７の一部となる左側面上半領域部１７Ａが連設されたものとなっている。この右側面上半領域部１６Ａは、天面領域部１１Ａに連設された縁部とは逆側の対向する縁部側に、部分的に凸状に突出する右側面差込突片部１６Ａａを備え、一方、左側面上半領域部１７Ａは、天面領域部１１Ａに連設された縁部とは逆側の対向する縁部側に、部分的に凸状に突出する左側面差込突片部１７Ａａを備えるものとなっている。
【００３７】
さらに、シート体Ｓは、底面領域部１３Ａにおいて、前側面領域部１２Ａと隣接する側縁部の一方に、右側面部１６の一部となる右側面下半領域部１６Ｂが連設され、同側縁部の他方に、左側面部１７の一部となる左側面下半領域部１７Ｂが連設されたものとなっている。この右側面下半領域部１６Ｂは、底面領域部１３Ａに連設された縁部とは逆側の対向する縁部側に、部分的に凹状に切欠かれた右側面差込切欠部１６Ｂａを備え、一方、左側面下半領域部１７Ｂは、底面領域部１３Ａに連設された縁部とは逆側の対向する縁部側に、部分的に凹状に切欠かれた左側面差込切欠部１７Ｂａを備えるものとなっている。
【００３８】
ゆえに、右側面上半領域部１６Ａと右側面下半領域部１６Ｂとが組み合わさって右側面部１６を構成し、左側面上半領域部１７Ａと左側面下半領域部１７Ｂとが組み合わさって左側面部１７を構成するものとなる。
【００３９】
このようなシート体Ｓは、折込むことが可能な柔軟性を有し、かつ、折り上げて箱状としたときに容易に潰れることの無い強度を有することとなる素材であれば特に限定するものではなく、たとえば、厚紙や段ボールシート、合成樹脂シート、などを用いることができる。
【００４０】
また、シート体Ｓは、次のようにして簡単に組み立てることができる。
まず、天面領域部１１Ａと前側面領域部１２Ａと底面領域部１３Ａと後側面領域部１４Ａと糊代面部１５における各領域部の境界を折り線１８に沿って折込んだ後、糊代面部１５の外面を底面領域部１３Ａの内面に接着することで、平たい角筒環状体とする。
【００４１】
次いで、右側面下半領域部１６Ｂを起立するように折込んだ後、右側面上半領域部１６Ａを倒伏するように折込みつつ、右側面上半領域部１６Ａの右側面差込突片部１６Ａａを、右側面下半領域部１６Ｂの右側面差込切欠部１６Ｂａの内側に挿入するように組み立てる（図４を参照）。これにより、右側面部１６が構成されることになる。
【００４２】
引き続き、左側面下半領域部１７Ｂを起立するように折込んだ後、左側面上半領域部１７Ａを倒伏するように折込みつつ、左側面上半領域部１７Ａの左側面差込突片部１７Ａａを、左側面下半領域部１７Ｂの左側面差込切欠部１７Ｂａの内側に挿入するように組み立てる（図４を参照）。これにより、左側面部１７が構成されることになる。
【００４３】
以上によりシート体Ｓが組み立てられ、天面部１１と底面部１３の周囲に、前側面部１２と後側面部１４と右側面部１６と左側面部１７からなる四つの側面を備えた平たい角筒状箱体をしたホルダー本体１が形成されるものとなる。
その後、前側面部１２と後側面部１４に設けられた切込み１９部分を折り線１８に沿って内側に折込むことで補強折込み片４を形成し、カップホルダー１０が構成されるものとなる。
【００４４】
そして、このような構成のカップホルダー１０は、飲料を入れたカップ容器Ｃを一つだけ保持する場合、図６（Ａ）に示すように、真ん中のカップ保持開口２Ｃにカップ容器Ｃを収容することになる。そうすると、カップホルダー１０によって保持されたカップ容器Ｃを袋に入れてテイクアウトに供しても、図６（Ｂ）に示すように、カップホルダー１０は傾倒することなくバランスが保たれたものとなる。ゆえに、カップホルダー１０はカップ容器Ｃを安定して保持し、カップ容器Ｃ内の飲料が外にこぼれてしまうおそれの無い、利便性が向上したものとすることができる。
【００４５】
一方、このカップホルダー１０を用いて飲料を入れたカップ容器Ｃを二つ保持する場合は、カップ保持開口２Ｃの両側に設けられたカップ保持開口２Ｓ，２Ｓにそれぞれカップ容器Ｃを収容すれば、カップホルダー１０によって保持されたカップ容器Ｃを袋に入れてテイクアウトに供しても、カップホルダー１０のバランスが保たれてカップ容器Ｃが傾倒してしまうことなく、カップ容器Ｃ内の飲料が外にこぼれてしまうおそれの無いものとすることができる。
【００４６】
なお、本実施形態におけるカップホルダー１０は、一枚のシート体から折り上げたものであるので、平面的に折り畳まれたものとすることができる。すなわち、補強折込み片４の折込みを元の状態に戻すようにそれぞれ伸張させると共に、右側面部１６における右側面上半領域部１６Ａと右側面下半領域部１６Ｂの組み立てと、左側面部１７における左側面上半領域部１７Ａと左側面下半領域部１７Ｂの組み立てをそれぞれ解き、前側面部１２（もしくは後側面部１４）が天面部１１（もしくは底面部１３）と重ね合わさるように斜め方向に押し潰すものとする。そうすると、カップホルダー１０は、平面的に折り畳まれたものとなり、大きな収容スペースを取らずに保管しておくことができる。
【００４７】
さらに、本実施形態におけるカップホルダー１０は、底面部１３に、二つのコーン保持開口５，５が適宜間隔を有して設けられたものとなっているので、カップ容器を保持しない場合にカップホルダー１０をひっくり返せば、アイスクリーム（ソフトクリーム）のコーンを保持するホルダーとしても用いることができる。
【００４８】
＜第２の実施の形態＞
また、本発明においては、カップ容器Ｃだけではなく、飲料の付属品も一緒に保持できるようにすることもできる。すなわち、上述した第１の実施の形態とは、飲料の付属品を保持する切込みを天面部１１に備える点で異なる。
なお、飲料の付属品は既述したように、たとえば、喫飲に必要なストロー、マドラー、シュガー、小型カップに入ったガムシロップやミルクの他、飲料を購入したことに伴って提供される玩具やカードなどのいわゆるノベルティーと称されるものをいう。
【００４９】
また、以下に述べる他の各実施の形態では、上述した第１の実施の形態と異なる部分を中心に説明する。したがって、第１の実施の形態と同様の構成部分は同じ符号を付してその説明は省略し、特に説明しない限り同じであるものとする。
【００５０】
図７に示すように、本実施の形態におけるカップホルダー２０は、基本的に上述した第１の実施の形態におけるカップホルダー１０と同じ構造を有し、さらに、天面部１１に、付属品保持切込み６Ａ，６Ｂを備える。
この付属品保持切込みは、たとえば、ストロー、マドラー、シュガー、といった細長い棒状体を保持するための第一の付属品保持切込み６Ａと、小型カップに入ったシロップやミルク、ノベルティーといったそれ以外の物品の平面部を保持するための第二の付属品保持切込み６Ｂの二種類とすることができる。
【００５１】
図７（Ａ）において、天面部１１の一方の対角部に、短い二つの切込みが交差した第一の付属品保持切込み６Ａがそれぞれ設けられ、天面部１１の他方の対角部に、長い切込みと短い切込みが交差した第二の付属品保持切込み６Ｂがそれぞれ設けられたものとして示されている。
また、図７（Ｂ）において、第一の付属品保持切込み６Ａにストローが飲料の付属品ＢＡ１として保持され、一方、第二の付属品保持切込み６Ｂに小型カップに入ったシロップ飲料の付属品ＢＡ２として保持されものとして示されている。
【００５２】
以上のように構成したカップホルダー２０は、たとえば、飲料の付属品がストロー、マドラー、シュガー、といった細長い棒状体の場合は、その先端部を第一の付属品保持切込み６Ａへ差し込むように保持するものとし、飲料の付属品が小型カップに入ったガムシロップやミルク、ノベルティーの場合は、カップの開け口部分やノベルティーの平面的な一部を第二の付属品保持切込み６Ｂへ差し込むように保持するものとする。
【００５３】
これにより、カップホルダー２０によって保持されたカップ容器Ｃを飲料の付属品と共に袋に入れてテイクアウトに供した場合、持ち運び中に飲料の付属品が袋内で暴れて散乱することなく、所定の場所に整然と収まった使い易いものとすることができる。
【００５４】
＜第３の実施の形態＞
また、本発明においては、飲料を入れたカップ容器Ｃを一つもしくは二つ保持するものではなく、三つもしくは四つ保持できるようにすることもできる。すなわち、上述した第１の実施の形態とは、飲料を入れたカップ容器を収容して保持するカップ保持開口を複数備える点で異なる。
【００５５】
図８に示すように、本実施の形態におけるカップホルダー３０は、基本的に上述した第１の実施の形態におけるカップホルダー１０と同じ構造を有し、さらに、天面部１１に、カップ保持開口２（２Ｃ，２Ｓ）を二組備えることで、最大四つのカップ容器を保持することができるものである。
また、カップホルダー３０は、二組のカップ保持開口２（２Ｃ，２Ｓ）をそれぞれ一組ずつ分けることができるように、天面部、底面部、及び側面部の中央に分離ミシン目７を備え、最大二つのカップ容器を保持することができるカップホルダーが二つ得られるようになっている。
【００５６】
以上のように構成したカップホルダー３０は、飲料を入れたカップ容器を最大四つ保持することができるので、たとえば、飲料を入れたカップ容器を三つ保持する場合、一方のカップ保持開口２にカップ容器を２つ収容し、他方のカップ保持開口２にカップ容器を１つ収容することができる。すなわち、一方の両端のカップ保持開口２Ｓ，２Ｓにそれぞれカップ容器を収容し、他方の真ん中のカップ保持開口２Ｃにカップ容器を収容すれば良い。これにより、カップホルダー３０は傾倒することなくバランスが保たれたものとなり、カップ容器を安定して保持することができるものとなる。
【００５７】
一方、飲料を入れたカップ容器Ｃを二つ保持する場合は、カップホルダー３０を分離ミシン目７より破断して一組のカップ保持開口２（２Ｃ，２Ｓ）が備わるものとする。すなわち、カップホルダー３０を分離ミシン目７より破断することで、上述した第１の実施の形態におけるカップホルダー１０と同じ構造を有したものが得られるようになっている。
【００５８】
これにより、飲料を入れたカップ容器を二つ保持する場合は、両端に設けられたカップ保持開口２Ｓ，２Ｓにそれぞれカップ容器を収容すれば良く、飲料を入れたカップ容器Ｃを一つだけ保持する場合は、真ん中のカップ保持開口２Ｃにカップ容器を収容すれば、分離したカップホルダー３０は傾倒することなくバランスが保たれたものとなり、カップ容器を安定して保持することができるものとなる。
【００５９】
なお、本実施の形態においては、天面部１１に、二組のカップ保持開口２（２Ｃ，２Ｓ）が二列（並列）配置されたものとなっているが、本発明はこれに限らず、二組のカップ保持開口が一列（直列）配置され、それぞれ一組ずつ分けることができるように、天面部、底面部、及び側面部の中央に分離ミシン目７を備えるものとしても良い。また、本発明においては勿論、三組以上のカップ保持開口を備えるものとしても良い。
【符号の説明】
【００６０】
Ｃ  カップ容器、Ｓ  カップホルダー組み立てシート、１  ホルダー本体、２（２Ｃ，２Ｓ）  カップ保持開口、３（３Ｃ，３Ｓ）  カップ保持爪部、４  補強折込み片、５  コーン保持開口、６Ａ，６Ｂ  付属品保持切込み、７  分離ミシン目、１０，２０，３０  カップホルダー、１１  天面部、１１Ａ  天面領域部、１２  前側面部、１２Ａ  前側面領域部、１３  底面部、１３Ａ  底面領域部、１４  後側面部、１４Ａ  後側面領域部、１５  糊代面部、１６  右側面部、１６Ａ  右側面上半領域部、１６Ａａ  右側面差込突片部、１６Ｂ  右側面下半領域部、１６Ｂａ  右側面差込切欠部、１７  左側面部、１７Ａ  左側面上半領域部、１７Ａａ  左側面差込突片部、１７Ｂ  左側面下半領域部、１７Ｂａ  左側面差込切欠部、１８  折り線、１９  切込み。
【図１】
2019038596.tif 000003
【図２】
2019038596.tif 000004
【図３】
2019038596.tif 000005
【図４】
2019038596.tif 000006
【図５】
2019038596.tif 000007
【図６】
2019038596.tif 000008
【図７】
2019038596.tif 000009
【図８】
2019038596.tif 000010
【図９】
2019038596.tif 000011